(57)【特許請求の範囲】
【請求項１】
更新される日付を記憶する第１の日付記憶手段と、
前記第１の日付記憶手段に記憶された日付情報に基づき、第１の日付を含むフォルダ名を付与し、取得した画像データを記録するためのフォルダを作成可能なフォルダ作成手段と、
電源の立上げ時の第２の日付を記憶する第２の日付記憶手段と、
前記第１の日付に基づきフォルダを作成した前記フォルダ作成手段に対して第１の日付の代わりに第２の日付を与える制御手段と、
前記制御手段により作成されたフォルダに前記画像データを記録させる記録制御手段と、
を具備したことを特徴とする内視鏡用記録制御装置。
【発明の詳細な説明】
【０００１】
【発明の属する技術分野】
本発明は、内視鏡装置、更に詳しくはデジタル静止画記録機能を備えた内視鏡装置に関する。
【０００２】
【従来の技術】
近年、体腔内等の観察部位に挿入部を挿入し、ライトガイドファイバ束等の照明伝送手段により照明光を伝送して挿入部先端より観察部位に照射することで、観察部位の像を得て、観察部位の観察及び処置を行う内視鏡装置が広く普及している。
【０００３】
この内視鏡装置の一つに、挿入部の先端に固体撮像素子、例えばＣＣＤを配置し、観察部位の像を対物光学系で撮像面に結像させて電気信号に変換し、この電気信号を信号処理することでモニタ等に観察部位の画像を表示させたり、情報記録装置等に画像データとして記憶させることのできる電子内視鏡装置がある。
【０００４】
又、デジタルカメラの普及により、内視鏡静止画像もデジタルで記録したいというニーズが生まれ、デジタル静止画記録機能を持つ内視鏡装置も出始めている。この場合、利便性を考え、記録だけでなく再生も可能になっているものもあり、再生の際にはまずサムネイル画像を表示し、所望の画像を選択後全画面表示させるものが多い。
【０００５】
【発明が解決しようとする課題】
しかし、静止画像をメディア内で日付毎のフォルダの下に記録する構成となっている場合、手術等が日付をまたがって行われた場合、同じ手術等の画像が複数のフォルダにまたがって記録されてしまい、後にフォルダの整理や判別が面倒だという問題点があった。
【０００６】
本発明の目的は、上記事情に鑑みてなされたもので、手術が長時間に及んだ場合もデジタル記録された静止画像の整理が容易に行える内視鏡装置を提供することを目的としている。
【０００７】
【課題を解決するための手段】
本発明の内視鏡用記録制御装置は、更新される日付を記憶する第１の日付記憶手段と、
前記第１の日付記憶手段に記憶された日付情報に基づき、第１の日付を含むフォルダ名を付与し、取得した画像データを記録するためのフォルダを作成可能なフォルダ作成手段と、電源の立上げ時の日付を記憶する第２の日付記憶手段と、前記第１の日付に基づきフォルダを作成した前記フォルダ作成手段に対して第１の日付の代わりに第２の日付を与える制御手段と、前記制御手段により作成されたフォルダに前記画像データを記録させる記録制御手段と、を具備したものである。
【０００８】
本発明においては、電源がオンのまま日付が変わった場合に、記録手段に記録するフォルダ名の日付を更新しないものである。従って、手術が長時間に及んで日付が変わった場合でも、記録内容（静止画像）が同じ名前のフォルダに記録されるので、後に整理する際にも同じ手術時の一連の画像であることが容易に判別でき、整理するのに困難さがない。
【０００９】
【発明の実施の形態】
以下、図面を参照して発明の実施の形態について説明する。
図１は本発明の一実施形態に係わる内視鏡装置の全体構成を示すブロック図である。
【００１０】
図１に示すように、本実施の形態の内視鏡装置１は、ＣＣＤ等の撮像手段を有する電子内視鏡２と、記録手段，給電手段，カレンダー手段及び記録制御手段を有した画像処理装置であるビデオプロセッサ（以下、プロセッサ）４と、表示手段であるモニタ５とを具備して構成されている。なお、電子内視鏡2の代わりに、例えば硬性鏡の接眼部にカメラユニットを着脱自在に取り付ける構成であってもよい。
【００１１】
前記撮像手段は、被写体を撮像して撮像信号として出力するものである。前記記録手段は、前記撮像手段で撮像された撮像信号をメディア３８に記録可能とするものである。また、前記給電手段は、電源部４２で構成され、前記撮像手段及び前記記録手段に給電することが可能である。カレンダー手段は、前記給電手段がオフしても別電源にて該給電手段とは独立して動作して常時、時刻及び年月日をカウントできるタイムカウンタである。前記記録制御手段は、前記給電手段の動作情報（オンオフ情報）と前記カレンダー手段の動作情報（時刻及び年月日情報）とに基づき、前記記録手段を制御し、該記録手段に作成されるフォルダ名の日付の更新を制御する（即ち、記録手段に作成されるフォルダ名の日付を更新したり、更新しなかったりする）。
【００１２】
以下に、図１を参照して具体的に説明する。
電子内視鏡２の挿入部２ａの先端に設けられた固体撮像素子、例えば、補色単板形式のＣＣＤ３を駆動制御して、プロセッサ４に内視鏡像が取り込まれる。
【００１３】
プロセッサ４は、ＣＣＤ３を駆動制御するとともにモニタ５の画面上に内視鏡画像を表示させるための映像信号を生成する。プロセッサ４では、患者回路６と、この患者回路６と電気的に絶縁した２次回路７とが同一のメイン基板８上に構成されている。
【００１４】
プロセッサ４には、１次回路である商用交流電源（図示せず）からコネクタ４１を介して１次回路側とは電気的に絶縁された、直流電圧生成用の電源部４２が配設されており、更に補助電源用のバッテリ４３が配設されている。これらの電源は給電手段を構成している。電源部４２からの直流電圧は、前記２次回路７，患者回路６及びＣＣＤ３に供給される一方デジタル静止画記録用の拡張基板３３にも供給されている。拡張基板３３に搭載されている回路手段は、メディア３８に画像信号を記録可能な記録手段を構成している。
【００１５】
プロセッサ４の２次回路７側には、水晶発振器（以下、ＣＸＯ）２６からの基準クロックを受け、各種タイミング信号を生成する同期信号発生回路（以下、ＳＳＧ）２５が設けられ、また患者回路６側にはＣＣＤ駆動回路１４が設けられており、フォトカプラ（以下Ｐ．Ｃ）１８ａを介し、ＳＳＧ２５の出力をもとにＣＣＤ駆動回路１４によりＣＣＤ駆動信号が生成される。そして、このＣＣＤ駆動信号により駆動されたＣＣＤ３からの撮像信号が患者回路６のプリアンプ１１に出力され増幅される。
【００１６】
また、患者回路６には位相同期回路（以下、ＰＬＬ）１２、可変水晶発振器（以下、ＶＣＸＯ）１３が設けられ、前記Ｐ．Ｃ１８ａを介してＳＳＧ２５からの基準クロックに基づいてタイミングジェネレータ（以下、ＴＧ）１７で作成されるタイミング信号によりＰＬＬ１２でＣＣＤ３への信号伝送時の位相補償が図られ、ＰＬＬ１２及びＶＣＸＯ１３によりＣＣＤ駆動回路１４のＣＣＤ駆動信号とプリアンプ１１の出力との位相同期が取られる。
【００１７】
さらに、プリアンプ１１の出力信号は、ＣＤＳ回路１５で相関２重サンプリングされた後、ＴＧ１７からのタイミング信号により、Ａ／Ｄ変換器１６でＡ／Ｄ変換される。
【００１８】
そして、Ａ／Ｄ変換された映像信号はＰ．Ｃ１８ｂを介して２次回路７側の色分離回路１９に出力され、色分離回路１９で輝度信号Ｙ及びクロマ信号Ｃに分離される。
【００１９】
分離されたＹ／Ｃ信号は次段のＲＧＢマトリクス回路２０に出力され、所定のマトリクス演算を施すことにより各８ビットのＲＧＢ信号が生成される。その後、ＲＧＢ信号は、オートゲインコントローラ（以下、ＡＧＣ）２１でゲイン調整された後、ペイント・Ｗ／Ｂ回路２２に出力され、ペイント処理（色調補正）及びホワイトバランスが取られ、ＦＰＧＡ（フィールドプログラマブルゲートアレイ、Field Programable Gate Arrayの略）２３に出力される。
【００２０】
ＦＰＧＡ２３内ではγ補正回路によりγ補正が行われ、画像拡大回路２９へ出力される。画像拡大回路２９では、例えば電子内視鏡２のリモートスイッチ２８のズーム（ZOOM）スイッチ（図示せず）が操作されると、拡大処理（電子ズーム）が施される。勿論、拡大がなされない場合（１倍）もあることは言うまでもない。
【００２１】
この後、拡張コネクタ３０を介して、Ｄ／Ａ変換器３１でＤ／Ａ変換され、アナログＲＧＢ信号がモニタ５に出力されると共に、エンコーダ３２でＹ／Ｃ信号及びＶＢＳ（ビデオベースバンドシグナル、Video Baseband Signalの略）信号もモニタ５に出力される。
【００２２】
一方、拡張コネクタ３０から８ビットＲＧＢ信号は、デジタル静止画記録基板である拡張基板３３に出力される。
【００２３】
そして、カメラヘッドとしての電子内視鏡２のリモートスイッチ２８から記録操作がなされると、ＪＰＥＧ圧縮解凍回路３４によって静止画像が圧縮変換され、ＰＣカードインターフェース回路（以下、ＰＣカードＩ／Ｆ）３７を介して、記録媒体としてのスマートメディア（Ｒ）３８に記録される。スマートメディア３８はメイン基板８上のＰＣカードアダプタ３９に着脱可能に挿着されている。メディア３８に記録された画像は、逆の手順を踏んで、８ビットＲＧＢ信号が拡張基板３３及び拡張コネクタ３０を介してメイン基板８に戻され、モニタ５上で再生される。
【００２４】
この際、メイン基板８上のＣＰＵ２７は、ＣＸＯ２６を用いてカレンダー手段としてのタイマカウンタにより時刻（及び年月日）をカウントしているので、記録操作が成された時刻及び年月日を保持することができる。また、補助用電源であるバッテリ４３により、ＣＰＵ２７即ちタイマカウンタは給電手段である電源部４２がオフ状態でもタイムカウントが可能である。
【００２５】
ＣＰＵ２７は、拡張コネクタ３０のアドレスバスとデータバスを介して拡張基板３３上の第１のレジスタ３５に、この時刻及び年月日情報を書き込み、拡張基板３３上のＣＰＵ３６がそれを読み込むことにより、メディア３８に対してＪＰＥＧ画像のヘッダー情報としての前記時刻及び年月日情報も記録することができる。
【００２６】
また、この時刻及び年月日情報に基づいてメディア３８内へ保存するディレクトリ名を作成できる。
【００２７】
しかし、この時刻及び年月日情報は例えば記録操作が成される度にＣＰＵ２７の制御により更新されるため、手術等が長時間にわたり日付をまたがって行われる場合には、年月日が変わるため同じ手術の画像が別のディレクトリに保存されることになってしまい、その後の画像の整理や判別が煩雑になってしまう。
【００２８】
そこで、記録操作が成されるたびにＣＰＵ２７の制御により年月日及び時刻が更新される第１のレジスタ３５とは別の第２のレジスタ４０を、フォルダ名作成用のレジスタとして設けている。そして、拡張基板３３上のＣＰＵ３６は、例えば電源オン時にのみ、ＣＰＵ２７からの制御信号に基づいて第１のレジスタ３５の値をフォルダ名作成用の第２のレジスタ４０に書き込むようにする。
【００２９】
この電源オン時のみ、拡張基板３３上のＣＰＵ３６が第２のレジスタ４０のデータを読み込むことにより、読み込んだ時刻及び年月日情報に基づいてメディア３８内に保存するフォルダ名を作成する。
【００３０】
通常、基本的に同じ手術が続く間はプロセッサ４の電源部４２をオフにすることはないので、手術が２日にまたがって行われた場合にも、第２のレジスタ４０の値は１日目の時刻及び年月日情報が保持されたままであり、メディア３８には新たなフォルダ名が作成されることはない。つまり、手術が日付をまたがって行われる場合に、メディア３８内の同じ名前のフォルダに記録画像が順次記録されることになる。
【００３１】
再生画面に関しては、９分割程度のサムネイル表示と全画面表示の２種類だけでなく、図２のように２画面の並列表示モードも設けている。この表示モードは、例えば内視鏡手術において、術前と術後の２枚の画像を並べて表示し、患者に術後経過の説明を行う場合等に有用である。
【００３２】
又、ＪＰＥＧ画像をメディア３８に記録する際、記録操作を行ってから記録が完了するまで若干の時間がかかる。記録が完了する前の書き込み中にメディア３８を抜いてしまうと、画像の記録が行われない場合が多い。そこで、本発明ではメディア３８に対してＣＰＵ３６がアクセス中には、その旨をユーザーに知らしめるために図３に示すようにプロセッサ４のフロントパネル上のＬＥＤ４４を点滅させている。
【００３３】
更に、本発明では記録画像をメディア内の日付毎のフォルダに記録したが、これを患者名や患者ＩＤ等の、別の分類毎のフォルダ名を作成して記録を行うようにしても良いことは言うまでもない。
【００３４】
以上述べたように、本発明の実施の形態によれば、電源がオンのまま日付が変わった場合に、メディアに記録するフォルダ名の日付を更新しないので、手術等が日付をまたがって行われた場合でも、同じ手術時の記録内容（画像データ）が同一のフォルダ名で記録されるので、その後の整理や判別が容易に行なえる。
【００３５】
尚、以上述べた実施の形態では、電源部４２はプロセッサ４の内部に設けられているが、プロセッサ４の外部に別体で設けられていても良い。
【００３６】
〔付記〕
（付記項１）被写体を撮像する撮像手段と、前記撮像手段から出力される撮像信号をデジタル静止画としてメディアに記録する記録手段とを備えた内視鏡装置において、
電源がオンのまま日付が変わった場合に、前記メディアに記録するフォルダ名の日付を更新しないことを特徴とした内視鏡装置。
【００３７】
【発明の効果】
以上説明したように、本発明によれば、プロセッサの電源がオンのまま日付が変わった場合に、記録手段に画像等を記録するフォルダ名の日付を更新しないので、手術等が日付をまたがって行われた場合でも、同一フォルダ内に一連の記録画像が保存され、その後の整理や判別が容易に行える利点を有する。
【図面の簡単な説明】
【図１】本発明の一実施の形態の内視鏡装置の全体構成を示すブロック図。
【図２】再生画面における、２画面の並列モード表示を示す図。
【図３】メディアへのアクセス中を示すＬＥＤの配置を示す図。
【符号の説明】
１…内視鏡装置
２…電子内視鏡
３…ＣＣＤ（撮像手段）
４…ビデオプロセッサ（画像処理装置）
６…患者回路
７…２次回路
８…メイン基板
２７…ＣＰＵ（カレンダー手段、記録制御手段を含む）
３０…拡張コネクタ
３３…拡張基板（記録手段）
３５…第１のレジスタ（年月日及び時刻保持用）
３６…ＣＰＵ（記録制御手段を含む）
３８…スマートメディア（メディア又は記録媒体）
４０…第２のレジスタ（フォルダ名作成用）
４２…電源部（給電手段）
４３…バッテリ（補助用電源）
【図１】
0003943963.tif 000002
【図２】
0003943963.tif 000003
【図３】
0003943963.tif 000004